(57)【要約】【課題】設置スペースを削減するとともに、設置作業の作業性を向上させることが可能な表示装置を提供すること。【解決手段】表示装置１は、画像を表示する表示パネル３と、表示パネル３の背面側に配置される背面カバー４とを備える表示装置１であって、表示装置１を壁面に固定するための取付部材２０を備え、取付部材２０は、表示装置１を側面方向から見て表示装置１の領域に収まるように、表示パネル３の表示面側の前端部から背面カバー４の背面側の後端部までの領域（厚みｔ１内）に設けられる。【選択図】図３Ａ
2019109312.tif 000002
【特許請求の範囲】
【請求項１】
画像を表示する表示パネルと、前記表示パネルの背面側に配置される背面カバーとを備える表示装置であって、
前記表示装置を壁面に固定するための取付部材を備え、
前記取付部材は、前記表示装置を側面方向から見て前記表示装置の領域に収まるように、前記表示パネルの表示面側の前端部から前記背面カバーの背面側の後端部までの領域に設けられる、
表示装置。
【請求項２】
前記背面カバーは、前記表示パネルの外周側に対向配置される外側部分と、前記表示パネルの中央側に対向配置され、前記外側部分から背面側に突出する内側部分とを含み、
前記取付部材は、前記表示パネルの表示面側の前端部から前記内側部分の背面側の後端部までの領域に設けられる、
請求項１に記載の表示装置。
【請求項３】
前記取付部材は、前記外側部分に移動可能に取り付けられる、
請求項２に記載の表示装置。
【請求項４】
前記取付部材は、第１位置から第２位置に移動可能に前記外側部分に取り付けられ、
前記取付部材は、壁面にネジ止めするための第１ネジを通す第１ネジ穴を含み、
前記取付部材が前記第１位置にある場合、前記表示パネルを平面的に見て、前記取付部材は、前記表示パネルの領域に収まり、
前記取付部材が前記第２位置にある場合、前記表示パネルを平面的に見て、前記第１ネジ穴が、前記表示パネルの外周端部から外側に突出する、
請求項２に記載の表示装置。
【請求項５】
前記取付部材が前記第２位置にある場合、前記取付部材が、前記第１ネジ穴を通る前記第１ネジにより壁面にネジ止めされることにより、前記表示装置が壁面に固定される、
請求項４に記載の表示装置。
【請求項６】
前記取付部材は、前記外側部分の背面側の面に回転可能に取り付けられる、
請求項４に記載の表示装置。
【請求項７】
前記取付部材は、前記表示パネルと前記外側部分との間の領域において、スライド可能に取り付けられる、
請求項４に記載の表示装置。
【請求項８】
前記表示装置は、さらに、前記表示パネルの前面に配置される保護ガラスを備え、
前記取付部材は、前記保護ガラスを貫通する第２ネジを固定するためのネジ止め部を含み、
前記保護ガラスは、前記第２ネジにより前記取付部材にネジ止め固定される、
請求項４〜７の何れか１項に記載の表示装置。
【請求項９】
前記表示装置は、さらに、前記表示パネルの前面に配置される保護ガラスを備え、
前記保護ガラスは、前記第１ネジ穴に対向する位置に第２ネジ穴を有し、
前記取付部材及び前記保護ガラスは、前記第１ネジが前記第１ネジ穴及び前記第２ネジ穴の両方を通って壁面にネジ止めされることにより、壁面に固定される、
請求項４，６及び７の何れか１項に記載の表示装置。
【発明の詳細な説明】
【技術分野】
【０００１】
本発明は、壁面に設置することが可能な表示装置に関する。
【背景技術】
【０００２】
近年、屋外、公共スペース、交通機関等で、ディスプレイ等の表示装置を使って情報を発信するシステム（デジタルサイネージ）が知られている。この種の表示装置は、主に、施設の壁面に設置される。表示装置を壁面に設置する場合、例えば、壁面設置用の補強部材を用いて表示装置を壁面にネジ固定される。例えば特許文献１には、表示装置の背面に補強部材を取り付けた後に、表示装置の前面から、取り付け用ネジを表示装置の取付穴及び補強部材の取付穴を貫通させて壁面にネジ止めすることにより、表示装置を壁面に設置する構成が開示されている。
【先行技術文献】
【特許文献】
【０００３】
【特許文献１】特開２００２−３１８５５０号公報
【発明の概要】
【発明が解決しようとする課題】
【０００４】
しかしながら、前記従来の技術では、表示装置の背面カバーに壁面設置用の補強部材を取り付けており、補強部材が表示装置の背面側（奥行方向）に突出する構成である。このため、表示装置を壁面に設置した場合、壁面から表示装置の前面までの厚みが厚くなる。また、表示装置を壁面に設置する際に、別部材としての補強板を表示装置に取り付ける作業が生じるため、作業性が悪い。
【０００５】
本発明の目的は、表示装置を壁面に設置する場合において、設置スペースを削減するとともに、設置作業の作業性を向上させることが可能な表示装置を提供することにある。
【課題を解決するための手段】
【０００６】
本発明の一の態様に係る表示装置は、画像を表示する表示パネルと、前記表示パネルの背面側に配置される背面カバーとを備える表示装置であって、前記表示装置を壁面に固定するための取付部材を備え、前記取付部材は、前記表示装置を側面方向から見て前記表示装置の領域に収まるように、前記表示パネルの表示面側の前端部から前記背面カバーの背面側の後端部までの領域に設けられる。
【発明の効果】
【０００７】
本発明によれば、表示装置を壁面に設置する場合において、設置スペースを削減するとともに、設置作業の作業性を向上させることが可能な表示装置を提供することができる。
【図面の簡単な説明】
【０００８】
【図１Ａ】図１Ａは、本発明の第１実施形態に係る表示装置の概略構成を示す背面図である。
【図１Ｂ】図１Ｂは、本発明の第１実施形態に係る表示装置の概略構成を示す上面図である。
【図２Ａ】図２Ａは、本発明の第１実施形態に係る取付部材が第１位置にある場合の状態を示す図である。
【図２Ｂ】図２Ｂは、本発明の第１実施形態に係る取付部材が第２位置にある場合の状態を示す図である。
【図３Ａ】図３Ａは、図２ＡのＡ１−Ａ２断面図である。
【図３Ｂ】図３Ｂは、図２ＢのＢ１−Ｂ２断面図である。
【図４Ａ】図４Ａは、第２実施形態に係る取付部材が第１位置にある場合の状態を示す図である。
【図４Ｂ】図４Ｂは、図４ＡのＣ１−Ｃ２断面図である。
【図４Ｃ】図４Ｃは、第２実施形態に係る取付部材が第２位置にある場合の状態を示す図である。
【図５Ａ】図５Ａは、図４ＡのＤ１−Ｄ２断面図である。
【図５Ｂ】図５Ｂは、図４ＣのＥ１−Ｅ２断面図である。
【図６Ａ】図６Ａは、第３実施形態に係る取付部材が第１位置にある場合の状態を示す図である。
【図６Ｂ】図６Ｂは、第３実施形態に係る取付部材が第２位置にある場合の状態を示す図である。
【図７Ａ】図７Ａは、第４実施形態に係る取付部材が第２位置にある場合の状態を示している。
【図７Ｂ】図７Ｂは、第４実施形態に係る取付部材が第２位置にある場合の状態を示している。
【図８Ａ】図８Ａは、変形例に係る表示装置における取付部材が第１位置にある場合の状態を示す図である。
【図８Ｂ】図８Ｂは、変形例に係る表示装置における取付部材が第２位置にある場合の状態を示す図である。
【発明を実施するための形態】
【０００９】
以下、添付図面を参照しながら、本発明の実施形態について説明する。なお、以下の実施形態は、本発明を具体化した一例であって、本発明の技術的範囲を限定する性格を有さない。
【００１０】
［第１実施形態］
図１Ａは、本発明の第１実施形態に係る表示装置１の概略構成を示す背面図であり、図１Ｂは、当該表示装置１の概略構成を示す上面図である。表示装置１は、例えば、屋外、公共スペース、交通機関等において、デジタルサイネージに利用されるディスプレイである。尚、表示装置１は、主として前記デジタルサイネージとして利用されるものであるが、屋内において通常のディスプレイとして使用されてもよい。第２実施形態以降の説明では、第１実施形態の構成と共通の構成については、第１実施形態の構成と同じ符号を付し示すことにより、その説明を省略し、また、作用及び効果について重複する説明を省略する。
【００１１】
図１に示すように、表示装置１は、例えば駅構内の施設の壁面に設置される。尚、本明細書において示す壁面には、施設及び建築構造物等の柱、壁だけでなく、交通機関等の移動体における柱、壁等が含まれる。以下では、表示装置１が施設の壁面に設置される場合を例に挙げて説明する。
【００１２】
表示装置１は、概略的には、表示パネルユニット２と、表示パネルユニット２を壁面に設置するための取付部材２０とを備えている。表示パネルユニット２は、表示パネル３（例えば液晶パネル）と、表示パネル３を背面側から支持する背面カバー４とを含んでいる。
【００１３】
表示パネル３は、入力されたデータ信号に応じた画像を表示面３ａに表示する。図示は省略するが、表示パネル３は、一対の基板（薄膜トランジスタ基板、カラーフィルタ基板）と、両基板間に配置される液晶層と、駆動回路と、バックライトとを含んでいる。表示パネル３は、従来周知の構成を有する。尚、本実施形態では、表示パネルの一例として液晶パネルを例示するが、本発明に係る表示パネルは、例えば、プラズマディスプレイ、有機ＥＬディスプレイ等であってもよい。
【００１４】
背面カバー４は、表示パネル３の外周側に対向配置される外側部分４ａと、表示パネル３の中央側に対向配置され、外側部分４ａから背面側に延伸（突出）する内側部分４ｂとを含んでいる。内側部分４ｂには、例えば、ＶＥＳＡ（Video Electronics Standards Association）（登録商標）規格に準じたブラケットを取り付けることが可能となっている。背面カバー４には、構造上、内側部分４ｂの周囲において、外側部分４ａから内側部分４ｂまでの厚みｔ４のスペースＳ１が形成される。
【００１５】
取付部材２０は、例えば板金で構成されており、表示装置１を支持し得る強度を有している。取付部材２０は、表示パネルユニット２の背面側に設けられている。具体的には、取付部材２０は、背面カバー４のスペースＳ１内に設けられている。また、図１Ａに示すように、取付部材２０は、表示パネル３を平面的に見て、表示パネル３の外周端部から外側に突出しないように、換言すると、表示パネル３の領域内に収容可能に設けられている。また、取付部材２０は、ネジ１１を支点にして回転可能に背面カバー４の外側部分４ａに取り付けられている。取付部材２０の詳細は後述する。
【００１６】
上述のように、表示装置１は、表示面側の前端部が表示パネル３の表示面３ａとなり、背面側の後端部が背面カバー４の内側部分４ｂとなる。図１には、表示面３ａ（前端部）から内側部分４ｂ（後端部）までの厚みをｔ１で示している。すなわち、表示装置１は、奥行方向の外形の厚みがｔ１となっている。取付部材２０は、少なくとも、前記前端部から前記後端部までの領域（厚みｔ１内）に設けられる。また、取付部材２０は、表示装置１を側面方向から見て表示装置１の領域に収まっている。
【００１７】
図２は、図１Ａに示す表示装置１の一部（Ａ部）を示し、取付部材２０を拡大した図である。図２Ａは、取付部材２０が、表示装置１の出荷時、壁面に設置する前、又は通常使用時における位置（以下、第１位置という。）にある場合の状態を示している。図３Ａは、図２ＡのＡ１−Ａ２断面図である。また図２Ｂは、取付部材２０が、表示装置１を壁面に設置作業する際の位置（以下、第２位置という。）にある場合の状態を示している。図３Ｂは、図２ＢのＢ１−Ｂ２断面図である。
【００１８】
図３に示すように、表示パネル３の外周端部には、前面フレーム５が設けられている。また、表示パネル３と背面カバー４との間には、補強板６が上下方向（図１Ａ参照）に延在するように配置されている。具体的には、補強板６は、表示パネル３の強度を確保するために、表示パネル３の背面に取付けられる。
【００１９】
取付部材２０は、ネジ穴２１（図３参照）と、ネジ穴２３（第１ネジ穴）（図２及び図３参照）と、ストッパー穴２２ａ，２２ｂ（図２参照）とを含んでいる。図２に示すように、背面カバー４の外側部分４ａには、突起１２ａ，１２ｂ，１３ａ，１３ｂが設けられている。図３に示すように、取付部材２０は、ネジ１１がネジ穴２１を貫通して補強板６にネジ止めされることにより、背面カバー４の外側部分４ａに固定されている。尚、ネジ１１は段付きネジで構成されており、取付部材２０は、ネジ１１における所定の長さを有する胴部により形成される空間により回転可能になっている。
【００２０】
図２Ａに示すように、取付部材２０が第１位置にある場合、突起１３ａ，１３ｂのそれぞれがストッパー穴２２ａ，２２ｂのそれぞれに嵌合されることにより、取付部材２０は、背面カバー４の外側部分４ａに固定されている。このとき、取付部材２０は、上下方向に延在するように固定され、平面的に見て、表示パネル３の領域内に収まっている。また図３Ａに示すように、背面カバー４の外側部分４ａから取付部材２０の端部までの厚み（距離）ｔ０が、外側部分４ａから内側部分４ｂまでの厚み（距離）ｔ４より小さくなっている（ｔ０＜ｔ４）。尚、取付部材２０は外側部分４ａに接するように取り付けられるため、前記ｔ０は取付部材２０の板厚と略同一である。
【００２１】
これに対して、図２Ｂに示すように、取付部材２０が第２位置にある場合、突起１２ａ，１２ｂのそれぞれがストッパー穴２２ａ，２２ｂのそれぞれに嵌合されることにより、取付部材２０は、背面カバー４の外側部分４ａに固定されている。図３Ｂには、突起１２ａがストッパー穴２２ａに嵌合されている様子を示している。図２Ｂに示すように、取付部材２０が第２位置にある場合、取付部材２０は、左右方向に延在するように固定され、取付部材２０の一部が、表示パネル３の外周端部（図２では右端部）から外側に突出している。具体的には、図２Ｂ及び図３に示すように、取付部材２０のネジ穴２３が、表示パネル３の外周端部から外側に突出している。
【００２２】
尚、取付部材２０のネジ穴２１（図３参照）、ネジ穴２３、及び取付部材２０の外形寸法は、取付部材２０が第１位置にあるときに、取付部材２０の全体が表示パネル３の領域内に収まり、取付部材２０が第２位置にあるときに、取付部材２０のネジ穴２３が、表示パネル３の外周端部から外側に突出するように設定される。
【００２３】
取付部材２０の第１位置（図２Ａ参照）から第２位置（図２Ｂ参照）への移動作業（回転作業）及び第２位置から第１位置への移動作業（回転作業）は、例えば作業者の手作業により行われる。
【００２４】
例えば、表示装置１を壁面に設置する場合、作業者は、納入された表示装置１において、取付部材２０を図２Ｂ及び図３Ｂに示す矢印方向に回転させて第１位置から第２位置に移動させる。作業者は、前記作業を全て（ここでは４個）の取付部材２０に対して行う。
【００２５】
全ての取付部材２０を回転させて第２位置に固定した後、図３Ｂに示すように、作業者は、固定用ネジ１１０（第１ネジ）を取付部材２０のネジ穴２３に貫通させて壁面１００にネジ止めする。これにより、表示装置１を壁面に設置（固定）することが可能となる。
【００２６】
以上のように、取付部材２０は、表示パネル３の表示面側の前端部（表示面３ａ）と表示パネル３の背面側の後端部（背面カバー４の内側部分４ｂ）と間の領域、より詳細には、背面カバー４の外側部分４ａと内側部分４ｂとの間の領域（図１Ａ及び図３ＡのスペースＳ１）に配置されている。このため、表示装置１を壁面に設置する場合における表示装置１の外形の厚み（図１Ｂ及び図３Ａに示すｔ１）を、通常使用時の表示装置の外形の厚みと同等にすることができる。よって、本実施形態に係る表示装置１によれば、従来の壁面設置型の表示装置と比較して、設置スペース（壁面からの突出量）を削減することができる。
【００２７】
また、本実施形態に係る表示装置１によれば、表示装置１を壁面に設置する作業場において、作業者が別部材（補強部材等）を表示装置に取り付ける必要がなく、表示装置１に既設の取付部材２０を回転させる簡単な作業で済む。このため、従来の壁面設置型の表示装置と比較して、作業性を向上させることができる。
【００２８】
さらに、本実施形態に係る表示装置１によれば、取付部材２０は、平面的に見て、壁面設置時にのみ表示パネル３から外側に突出し、通常使用時には表示パネル３の領域内に収まるように固定することもできる。このため、通常使用時の際に表示装置１の美観を損なうことがない。また通常使用及び壁面設置使用の用途に応じて表示装置の構造を変更して製造する必要がなく、表示装置の構造を共通化することができる。
【００２９】
［第２実施形態］
図４は、第２実施形態に係る表示装置１における取付部材２０の拡大図である。尚、図４は、図１のＡ部に対応する部分を示している。図４Ａは、取付部材２０が第１位置にある場合の状態を示し、図４Ｂは、図４ＡのＣ１−Ｃ２断面図を示している。また図５Ａは、図４ＡのＤ１−Ｄ２断面図である。
【００３０】
図４Ｃは、取付部材２０が第２位置にある場合の状態を示し、図５Ｂは、図４ＣのＥ１−Ｅ２断面図である。
【００３１】
第２実施形態に係る表示装置１では、図４Ａに示すように、背面カバー４の外側部分４ａに、左右方向に延在するスリット１３と、スリット１３の両端部に設けられるストッパー穴１４，１５とが形成されている。また図４Ｂに示すように、外側部分４ａの表示面側には、受容部４ｃが形成されている。取付部材２０は、受容部４ｃに受容されるように配置される。また把持部２５が、外側部分４ａの背面側からスリット１３を貫通して取付部材２０にネジ止め固定されている。これにより、図４Ａ及び図４Ｃに示すように、例えば作業者が、把持部２５を持って取付部材２０をストッパー穴１４及びストッパー穴１５の間で左右方向に移動させることが可能となっている。このように、取付部材２９は、外側部分４ａに移動（スライド）可能に取り付けられている。
【００３２】
図５Ａに示すように、取付部材２０は、表示パネル３と背面カバー４の外側部分４ａとの間の領域に配置されている。尚、取付部材２０を前記領域に配置するために、外側部分４ａから内側部分４ｂまでの厚みｔ４を小さくして、前記領域の厚みｔ３を大きくしてもよい。このとき、表示装置１の奥行方向の外形の厚みｔ１が、壁面設置型でない一般的な表示装置と略同じ厚みになるように設定することが望ましい。
【００３３】
図４Ａに示すように、取付部材２０が第１位置にある場合、平面的に見て、取付部材２０は、表示パネル３の領域内に収まっている。これに対して、図４Ｃに示すように、平面的に見て、取付部材２０が第２位置にある場合、取付部材２０の一部、具体的には、取付部材２０のネジ穴２３を含む部分が、表示パネル３の外周端部（右端部）から外側に突出している。
【００３４】
取付部材２０の第１位置（図４Ａ参照）から第２位置（図４Ｃ参照）への移動作業（スライド作業）及び第２位置から第１位置への移動作業（スライド作業）は、例えば作業者の手作業により行われる。例えば、表示装置１を壁面に設置する場合、作業者は、納入された表示装置１において、取付部材２０を図４Ｃ及び図５Ｂに示す矢印方向にスライドさせて第１位置から第２位置に移動させる。作業者は、前記作業を全て（ここでは４個）の取付部材２０に対して行う。
【００３５】
取付部材２０をスライドさせて第２位置に固定した後、図５Ｂに示すように、作業者は、固定用ネジ１１０を取付部材２０のネジ穴２３に貫通させて壁面１００にネジ止めする。これにより、表示装置１を壁面に設置（固定）することが可能となる。
【００３６】
以上のように、取付部材２０は、表示パネル３の表示面側の前端部（表示面３ａ）と表示パネル３の背面側の後端部（背面カバー４の内側部分４ｂ）と間の領域、より詳細には、表示パネル３と、背面カバー４の外側部分４ａの間の領域（図５ＡのスペースＳ２）に配置されている。このため、第１実施形態に係る表示装置１と同様の効果を得ることができる。
【００３７】
尚、第２実施形態に係る表示装置１では、取付部材２０が表示パネル３と背面カバー４との間に収容（内蔵）されるため、背面カバー４は、表示面３ａ（前端部）から外側部分４ａまでの厚みが、表示面３ａ（前端部）から内側部分４ｂまでの厚みｔ１と同じであってもよい。すなわち、背面カバー４は、図５Ａに示すｔ４が０に設定され、段差（突出部）がない構成であってもよい。
【００３８】
また、第２実施形態に係る表示装置１では、表示装置１の重量が軽い場合は、取付部材２０は背面カバー４に取り付けられ、表示装置１の重量が重い場合は、取付部材２０は補強板６に取り付けられることが好ましい。
【００３９】
［第３実施形態］
図６は、第３実施形態に係る表示装置１の一部の構成を示す断面図である。尚、図６は、図１のＡ部に対応する部分を示している。また図６Ａは、取付部材２０が第１位置にある場合の状態を示しており、図６Ｂは、取付部材２０が第２位置にある場合の状態を示している。
【００４０】
第１実施形態に係る取付部材２０は、平坦状に形成されているが、本発明に係る取付部材２０の形状はこれに限定されない。第３実施形態に係る取付部材２０は、図６に示すように、Ｚ状に形成されており、段差を有している。取付部材２０の上端部から下端部までの厚みｔ５は、背面カバー４の外側部分４ａから内側部分４ｂまでの厚みｔ４と同じか又はそれ以下になっている（ｔ５≦ｔ４）。
【００４１】
第３実施形態の構成においても、取付部材２０は、表示パネル３の表示面側の前端部（表示面３ａ）と表示パネル３の背面側の後端部（背面カバー４の内側部分４ｂ）と間の領域、より詳細には、背面カバー４の外側部分４ａと内側部分４ｂとの間の領域（図１Ａ及び図６ＡのスペースＳ１）に配置されている。よって、第１実施形態に係る表示装置１と同様の効果を得ることができる。また、本実施形態に係る表示装置１によれば、取付部材２０を壁面１００に略接触するようにして固定することができるため、壁面１００と取付部材２０との間のスペースの調整をする必要がない。
【００４２】
上記の通り、取付部材２０の形状及び外形寸法は、特に限定されず、例えば、前記厚みｔ４の大きさ、又は、固定用ネジ１１０の大きさ及び形状に応じて設定すればよい。
【００４３】
［第４実施形態］
図７は、第４実施形態に係る表示装置１の一部の構成を示す断面図である。尚、図７は、図１のＡ部に対応する部分を示している。また図７Ａ及び図７Ｂは、何れも取付部材２０が第２位置にある場合の状態を示している。
【００４４】
第４実施形態に係る表示装置１は、第１実施形態に係る表示装置１において、さらに、表示パネル３の前面に配置された保護ガラス７を含んでいる。保護ガラス７は、主に、表示パネル３の表示面３ａを保護する目的で設置される。保護ガラス７は、平面的に見て、表示パネル３より外形が大きくなっており、表示パネル３との間に緩衝ゴム８が配置されている。保護ガラス７の四隅には固定用ネジ１２０を貫通させるためのネジ穴７ａが設けられている。保護ガラス７は、例えば、図７Ａに示す構成、又は、図７Ｂに示す構成により固定される。
【００４５】
例えば、図７Ａに示すように、取付部材２０は、さらに、ネジが切られた（タップが立てられた）ネジ穴２４（ネジ止め部）を含んでいる。保護ガラス７は、固定用ネジ１２０（第２ネジ）がネジ穴７ａ（第２ネジ穴）を貫通してネジ穴２４にネジ止めされることにより、取付部材２０に固定される。この構成では、例えば第１実施形態に示した作業手順に従って表示装置１を壁面１００に設置した後に、保護ガラス７を取付部材２０に取り付けることが可能となる。すなわち、表示装置１の設置作業と、保護ガラス７の取付作業を別々に行うことができる。このため、保護ガラス７の交換作業、清掃作業等を行う場合に、表示パネル３を壁面１００に設置したまま保護ガラス７を取り外すことができるため、作業性を向上させることができる。
【００４６】
また例えば、図７Ｂに示すように、取付部材２０は、段付きネジ１３０が、保護ガラス７のネジ穴７ａと、取付部材２０のネジ穴２３とを貫通して、壁面１００にネジ止めされることにより、表示パネル３及び保護ガラス７が同時に壁面に固定される構成であってもよい。この構成では、保護ガラス７取り付け用のネジ穴２４を省略することができる。また、保護ガラス７を含めた表示装置１の外形寸法を小さくできるため、省スペース化を図ることができる。
【００４７】
尚、前述の各実施形態に示した取付部材２０は、保護ガラス７取り付け用のネジ穴２４を含んでいないが（図２、図４及び図６参照）、取付部材２０がネジ穴２４を含んでもよい。これにより、保護ガラス７の使用及び未使用に関わらず、部品（取付部材２０）の共通化を図ることができる。
【００４８】
本発明に係る表示装置１は、前記各実施形態に限定されない。図８Ａは、変形例に係る表示装置１における取付部材２０が第１位置にある場合の状態を示す図であり、図８Ｂは、変形例に係る表示装置１における取付部材２０が第２位置にある場合の状態を示す図である。例えば、図８Ａ及び図８Ｂに示すように、表示装置１を壁面に設置する場合に、取付部材２０が、表示パネル３の上側に突出するように構成されてもよい。この構成によれば、表示装置１を取付部材２０に吊るすようにして、壁面に設置することができる。
【００４９】
また、以上説明した各実施形態では、取付部材２０が背面カバー４に移動（回転又はスライド）可能に取り付けられる構成であるが、本発明に係る表示装置では、取付部材２０が背面カバー４に固定され、移動しない構成であってもよい。この場合は、取付部材２０は、ネジ穴２３（図２Ｂ及び図４Ｃ等参照）が表示パネル３の外周端部から外側に突出した状態で背面カバー４に固定される。上記構成は、取付部材２０の移動作業が不要であるため、通常使用されない壁面設置用の表示装置において好適である。
【符号の説明】
【００５０】
１          表示装置
２          表示パネルユニット
３          表示パネル
４          背面カバー
４ａ        外側部分
４ｂ        内側部分
５          前面フレーム
６          補強板
７          保護ガラス
１１        ネジ
１２ａ，１２ｂ，１３ａ，１３ｂ  突起
１３        スリット
１４，１５，２２  ストッパー穴
２０        取付部材
２１，２３，２４  ネジ穴
２５        把持部
１００      壁面
１１０，１２０  固定用ネジ
１３０      段付きネジ
【図１Ａ】
2019109312.tif 000003
【図１Ｂ】
2019109312.tif 000004
【図２Ａ】
2019109312.tif 000005
【図２Ｂ】
2019109312.tif 000006
【図３Ａ】
2019109312.tif 000007
【図３Ｂ】
2019109312.tif 000008
【図４Ａ】
2019109312.tif 000009
【図４Ｂ】
2019109312.tif 000010
【図４Ｃ】
2019109312.tif 000011
【図５Ａ】
2019109312.tif 000012
【図５Ｂ】
2019109312.tif 000013
【図６Ａ】
2019109312.tif 000014
【図６Ｂ】
2019109312.tif 000015
【図７Ａ】
2019109312.tif 000016
【図７Ｂ】
2019109312.tif 000017
【図８Ａ】
2019109312.tif 000018
【図８Ｂ】
2019109312.tif 000019